【事件の表示】
　特願２００２−２７７０２１「記録再生装置」拒絶査定不服審判事件〔平成１５年　５月２３日出願公開、特開２００３−１５１２２１〕について、次のとおり審決する。
【結　論】
　本件審判の請求は、成り立たない。
【理　由】
１．手続の経緯
　　
　本願は、平成５年１０月２８日に出願した特願平５−２７０６１０号の一部を平成１４年９月２４日に新たな特許出願としたものであって、平成１７年６月１６日付けの拒絶理由通知に対する応答期間内の平成１７年８月２２日付けで手続補正がなされたが、平成１７年１２月８日付けで拒絶査定がなされ、これに対して、平成１８年１月１２日付けで拒絶査定不服審判が請求されるとともに、平成１８年１月３０日付けで手続補正がなされた。
　その後、当審において、平成１９年１１月２日付けで、平成１７年８月２２日付けの手続補正・平成１８年１月３０日付けの手続補正をそれぞれ補正却下し、その後確定したものである。
　
２．本願発明
　
　上記のとおり、平成１７年８月２２日付けの手続補正・平成１８年１月３０日付けの手続補正がそれぞれ補正却下されたことに伴い、本願の請求項１乃至３に係る発明は、出願時の願書に添付された明細書及び図面の記載からみて、その特許請求の範囲の請求項１乃至３に記載されたとおりのものであるところ、そのうち請求項１に係る発明（以下「本願発明」という。）は、次のとおりである。
　
「【請求項１】　ディスク媒体と前記ディスク媒体を回転させる回転モーターと、前記ディスク媒体より再生信号を得るためのヘッド部と、前記再生信号より２値信号を得るための再生クロックを発生する再生クロック発生部を備え、前記再生クロック発生部はＰＬＬ部をもち、復調部において前記再生信号から前記再生クロックを用いて２値信号を得る打ち抜き部をもつとともに、前記打ち抜き部の前段に周波数特性変更部をもち、前記回転モーターの回転数に応じて前記周波数特性変更部の周波数特性が変更されるディスク再生装置。」
　
３．引用例
　
　これに対して、原審の拒絶の理由（【理由Ａ】）に引用した特開平５−３６０７３号公報（平成５年２月１２日公開、以下「引用例」という。）には、光ディスク装置に関し、特に倍速回転での記録再生時に適切な動作をする光ディスク装置に関して、図面と共に、以下の記載がある。なお、下線は当審で付与した。
　
（１）「【特許請求の範囲】
【請求項１】〜【請求項２】（省略）
【請求項３】
光ディスクから得られるウォブル信号に基づいて時間情報等を得る光ディスク装置において
ＦＳＫ復調回路に含まれるＰＬＬ回路のローパスフィルタから得られる復調アイパターン信号から、前記ウォブル信号の基本波成分と、前記復調アイパターン中の最高周波数成分より高い周波数成分とを主に遮断するノイズ除去フィルタの遮断周波数を、速回転時に倍速対応の高い周波数に設定することを特徴とする光ディスク装置
　
（２）「【０００１】
【産業上の利用分野】この発明は、
光ディスク装置に関し、特に倍速回転での記録再生時に適切な動作をする光ディスク装置に関する
【０００２】
【従来の技術】
光ディスクを回転させながら、光ヘッドを用いて周方向トラックに順次情報を記録し、また、こうして記録する際に、光ディスクのトラック溝のウォブリング（ＷＯＢＢＬＥ）による変化から得られる時間情報（ＡＴＩＰ）が同時に読み出している
【０００３】従来の光ディスク装置における上記時間情報の抽出は、図５に示す如く構成により抽出される。
光ヘッドの２分割光電変換器１ａと１ｂにより得られた２つの信号は、それぞれ電流／電圧（Ｉ−Ｖ）変換器２ａと２ｂで電圧信号に変換され、差動増幅器３で差分信号であるＴＥ信号が得られる。ＴＥ信号は、中心周波数２２．０５ＫＨｚのバンドパスフィルタ４を通り、ウォブリング信号のみが抽出される。抽出されたウォブリング信号は、コンパレータ５を通り、ＦＳＫ信号が得られる
【０００４】
ＦＳＫ復調回路は、位相比較器６、ローパスフィルタ（ＬＰＦ）７および電圧制御発振器（ＶＣＯ）８から成るＰＬＬ回路と、増幅器９、コンデンサ１０、ローパスフィルタ１１およびコンパレータ１２から構成されており、ＰＬＬ回路で上記２２．０５ＫＨｚの信号をロックさせ、±１ＫＨｚの変化分をローパスフィルタ７で得る。この±１ＫＨｚの変化信号は、増幅器９とコンデンサ１０を通過した後、ローパスフィルタ１１を通過し、コンパレータ１２でこの出力の平均電圧と比較することによりＦＳＫ復調出力を得ている。こうして得られた出力データは、クロック成分を含んでおり、このクロック成分はデータ復調回路を構成する位相比較器１３、ローパスフィルタ１４および電圧制御発振器（ＶＣＯ）１５から成るＰＬＬ回路において、同期がとられて復調クロック（６．３ＫＨｚ）が得られる
【０００５】
ＡＴＩＰ復調回路１６は、得られた復調クロックと、コンパレータ１２からのＦＳＫ復調出力とに基づいてデータを復調し、ＣＲＣ信号と復調データ（時間情報）を出力する
　
（３）「【００１０】
【実施例】次に、この発明について図面を参照しながら説明する。図１は、この発明による光ディスク装置の一実施例を示すブロック図である。図中、図５と同一符号が付されている構成部は同様機能構成部を示す。この実施例では、バンドパスフィルタ４に並列に倍速対応の４４．１ＫＨｚのバンドパスフィルタ３０を設け、切換スイッチ３１でいずれかのバンドフィルタを選択している。また、ＦＳＫ復調回路のＰＬＬ回路部の位相検波器６と電圧制御発振器１０間の帰還ループにも並列に１／２分周器３２を設け、切換スイッチ３３により、切り換え接続するように構成している。同様に、
フィルタ１１にも並列にフィルタ３４を並列接続し、切換スイッチ３５により切り換え選択している
【００１１】さて、倍速回転時には、トラッキングエラー信号中のウォブル信号は、４４．１ＫＨｚの周波数信号と、ＴＥエラー信号が重畳された信号である。したがって、倍速時には、切換スイッチ３１により４４．１ＫＨｚのバンドパスフィルタ３０を選択して、その出力を増幅器５に送出する。ＦＳＫ復調回路においても、通常回転時に２２．０５ＫＨｚを中心周波数とするウォブル信号にＰＬＬロックするようにし、倍速回転時には４４．１ＫＨｚにＰＬＬロックするように電圧制御発振器１０の出力を１／２分周器３２で１／２分周して位相比較器６に供給している。
フィルタ３４は、ＦＳＫ復調中のアイパターン信号の回転速度に対応するクロック成分を遮断するフィルタ特性を有し、倍速時に、切換スイッチ３５で切り換え使用される
【００１２】データ復調回路においては、データの復調クロック６．３ＫＨｚを通常回転時に抽出できるようにＰＬＬ回路が構成されているが、倍速回転時には１２．６ＫＨｚのクロックが得られるように１／２分周器３６を切換器３７で選択している。また、電圧制御発振器１５の発信周波数は、予め調整して発振周波数範囲の中心付近で希望の復調クロックが得られるようにしておく。これは、通常回転では２倍の周波数で発振させておき、通常回転で１／２分周した方が簡単に構成できる。モータ駆動系の基準クロックとしては、１／２分周器３８を切換スイッチ３９により切り換え使用して適切なクロックを得ている。以上の実施例で、それぞれの切換スイッチを倍速制御信号“Ｈｉｇｈ”，“Ｌｏｗ”によって切り換え、光ディスクの回転を２倍にしながら時間情報の読み出しも可能としている。」
　
（４）「【００１４】図１におけるＦＳＫ復調回路の波形整形用フィルタを構成する際、図３に示すように、通常回転時では１段目のローパスフィルタでＦＳＫの復調の波形整形用のフィルタを構成するとき、通常回転時では１段目のローパスフィルタでＦＳＫの復調アイパターンの最高周波数である３．１５ＫＨｚより高い周波数成分を除去するため、フィルタ５１により約４ＫＨｚ程度でカットし、２段目のローパスフィルタでウォブル信号の２２．０５ＫＨｚ成分を除去するため更に約１６ＫＨｚでカットするように構成して不要周波数成分を除去している。その結果、復調データの誤りを低減することができる。
倍速時にはカットオフ周波数が異なるため、フィルタを切り換えている
【００１５】
【発明の効果】以上説明したように、この発明による光ディスク装置では、倍速時、バンドパスフィルタ、ＦＳＫ復調回路の電圧制御発振器、データ復調のＰＬＬ回路の電圧制御発振器、モータ回路の基準クロックの切り換えを、倍速に対応して制御しているので、光ディスクを倍速で回転させながら、時間情報を正確に読み出すことが可能となる。したがって、読み出された時間情報に基づく正確な記録位置制御も可能となる。また、
ＦＳＫ復調処理に際して、ＰＬＬ回路からの復調アイパターンから不要成分を取り除くためのフィルタを、倍速回転時に適切な特性に切り換えることによってデータ誤りを低減することも可能となる
　
　従来の光ディスク装置の構成も踏まえて上記摘示事項及び図面の記載を参酌すると、引用例には、次の発明（以下「引用発明」という。）が記載されているものと認める。
　
「光ディスクから得られるウォブル信号に基づいて時間情報を得る光ディスク装置において、
　光ヘッドよりウォブリング信号のみが抽出され、抽出されたウォブリング信号から（変調）ＦＳＫ信号が得られ、フィルタ等から構成されるＦＳＫ復調回路でＦＳＫ復調信号が得られ、得られたＦＳＫ復調信号からＰＬＬ回路において同期がとれた復調クロックが得られ、得られた復調クロックとＦＳＫ復調出力とに基づいてデータが復調され、復調データ（時間情報）が出力され、
　倍速回転時、フィルタが切換スイッチにより切り換え選択される光ディスク装置。」
　
４．対比
　
　そこで、本願発明と引用発明とを対比する。
（１）引用発明の「光ディスク」「光ヘッド」は、それぞれ本願発明の「ディスク媒体」「ヘッド部」に相当する。
（２）引用発明は、光ディスク装置に関するものであるから、本願発明の「ディスク媒体を回転させる」「回転モーター」を有することは明らかである。
（３）引用発明の「ウォブリング信号」「復調クロック」は、それそれ本願発明の「再生信号」「再生クロック」に相当する。引用発明は、ＰＬＬ回路において同期がとれた復調クロックが得られ、復調クロックに基づいてデータが復調され、そして、データが２値信号であることは明らかであるから、本願発明の「前記再生信号より２値信号を得るための再生クロックを発生する」「再生クロック発生部」と「前記再生クロック発生部はＰＬＬ部をもち」に相当する構成を備えている。
（４）引用発明は、復調クロックに基づいてデータを復調し、復調データ（時間情報）を出力するから、本願発明の「復調部において前記再生信号から前記再生クロックを用いて２値信号を得る打ち抜き部をもつ」に相当する構成を備えている。
（５）引用発明の「切換スイッチ」は、フィルタを切り換え選択するものであるから、本願発明の「周波数特性変更部」に相当し、フィルタは倍速回転時、切り換え選択されるから、引用発明は、本願発明の「前記打ち抜き部の前段に周波数特性変更部をもち、」と「前記周波数特性変更部の周波数特性が変更される」に相当する構成を備えている。
　
　そうすると、本願発明と引用発明との＜一致点＞＜相違点＞は次の点である。
　
＜一致点＞
　
「ディスク媒体と前記ディスク媒体を回転させる回転モーターと、前記ディスク媒体より再生信号を得るためのヘッド部と、前記再生信号より２値信号を得るための再生クロックを発生する再生クロック発生部を備え、前記再生クロック発生部はＰＬＬ部をもち、復調部において前記再生信号から前記再生クロックを用いて２値信号を得る打ち抜き部をもつとともに、前記打ち抜き部の前段に周波数特性変更部をもち、前記周波数特性変更部の周波数特性が変更されるディスク再生装置。」
　
＜相違点＞
　「周波数特性変更部」について、本願発明は、「前記回転モーターの回転数に応じて」周波数特性が変更されるのに対し、引用発明は、倍速回転時、フィルタが切り換え選択される点。
　
５．判断
　そこで、上記相違点について検討する。
　引用発明の、倍速回転時、フィルタが切り換え選択されることは、回転速度に応じてフィルタを適切な特性に切り換えているといえるから、引用発明において、相違点のように「回転モーターの回転数に応じて」周波数特性が変更される構成とすることは、当業者が容易になし得る程度のことである。
　
　そして、上記相違点を総合的に判断しても、本願発明が奏する効果は引用例から、当業者が十分に予測できたものであって、格別なものとはいえない。
　
６．むすび
　
　以上のとおり、本願の請求項１に係る発明は、引用例に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。